(57)【要約】【課題】  ２つのカメラを用いた場合でも使用者の視線を精度良くガイドする。【解決手段】  所定の撮影範囲内の使用者を含む画像を高解像度で撮影する印刷用カメラ（Ａ）１１ａと、上記撮影範囲内の前記使用者を含む画像を低解像度で撮影する表示用カメラ（Ｂ）１１ｂと、印刷用カメラ（Ａ）１１ａで撮影された高解像度画像を使用者による印刷確定操作により印刷出力する印刷装置１４と、表示用カメラ（Ｂ）１１ｂで撮影された低解像度画像を表示する表示部１２と、使用者の撮影開始操作に伴い表示用カメラ（Ｂ）１１ｂで撮影して表示部１２に静止画として表示する低解像度画像と、当該撮影開始操作に伴い印刷用カメラ（Ａ）１１ａで撮影し印刷装置１４で印刷に用いる高解像度画像とが一致した時間若しくは略一致した時間で撮影された画像となるように処理制御する制御装置１０とを具える。【選択図】  図６
2005107042.tif 000002
【特許請求の範囲】
【請求項１】
所定の撮影範囲内の該使用者を含む画像を高解像度で撮影する第１のカメラと、前記第１のカメラの撮影範囲を含む画像を低解像度で撮影する第２のカメラとを有し、前記第１のカメラの出力に基づき印刷画像を形成し、前記第２のカメラの出力に基づきモニタ画像を表示する自動写真撮影装置において、
前記第１のカメラ及び前記第２のカメラを共通の撮影範囲を撮影可能な位置に設置すると共に、
前記第１のカメラ及び前記第２のカメラの配置位置に関連して前記使用者の視線をガイドする視線ガイド用発光素子を設置する
ことを特徴とする自動写真撮影装置。
【請求項２】
前記第１のカメラに導かれる入射光軸と前記第２のカメラに導かれる入射光軸とが前記使用者の顔面付近で交差するように、前記第１のカメラと前記第２のカメラとをそれぞれ所定角度傾けて設置する
ことを特徴とする請求項１記載の自動写真撮影装置。
【請求項３】
所定の撮影範囲内の該使用者を含む画像を高解像度で撮影する第１のカメラと、前記第１のカメラの撮影範囲を含む画像を低解像度で撮影する第２のカメラとを有し、前記第１のカメラの出力に基づき印刷画像を形成し、前記第２のカメラの出力に基づきモニタ画像を表示する自動写真撮影装置において、
前記使用者側から入射される光を透過して前記第１のカメラ或いは前記第２のカメラのいずれか一方に導くと共に、他のカメラに前記使用者側から入射される光を反射して導くハーフミラー
を具えると共に、
前記第１のカメラに入射する光の入射光軸と、前記第２のカメラに入射する光の入射光軸とが重なるように前記第１のカメラと前記第２のカメラとを設置する
ことを特徴とする自動写真撮影装置。
【請求項４】
所定の撮影範囲内の該使用者を含む画像を高解像度で撮影する第１のカメラと、前記第１のカメラの撮影範囲を含む画像を低解像度で撮影する第２のカメラとを有し、前記第１のカメラの出力に基づき印刷画像を形成し、前記第２のカメラの出力に基づきモニタ画像を表示する自動写真撮影装置において、
前記使用者側から入射される光を全反射する全反射ミラーと、
前記全反射ミラーで全反射された光を透過して前記第１のカメラに導くと共に、前記全反射された光を反射して前記第２のカメラに導くハーフミラーと
を具え、
前記第１のカメラに入射する光の入射光軸と、前記第２のカメラに入射する光の入射光軸とが重なるように前記第１のカメラと前記第２のカメラとを設置する
ことを特徴とする自動写真撮影装置。
【請求項５】
前記第１のカメラのレンズ及び前記第２のカメラのレンズに前記使用者の視線をガイドする視線ガイド用発光素子
を更に設置することを特徴とする請求項３または４記載の自動写真撮影装置。
【発明の詳細な説明】
【技術分野】
【０００１】
本発明は、所定の撮影範囲内の使用者を含む画像を高解像度で撮影する第１のカメラと、撮影範囲内の使用者を含む画像を低解像度で撮影する第２のカメラとを有し、第１のカメラの出力に基づき印刷画像を形成し、第２のカメラの出力に基づきモニタ画像を表示する自動写真撮影装置に関し、特に、２つのカメラを用いた場合でも使用者の視線を精度良くガイドすることができるようにした自動写真撮影装置に関する。
【背景技術】
【０００２】
従来、コンビニエンスストアや駅等に設置され、パスポートや履歴書等に貼付する身分証明用写真を自動撮影する自動写真撮影装置（特許文献１参照）が知られている。
【０００３】
この従来の自動写真撮影装置においては、１つのカメラ（撮影手段）を用いて撮影を行う構成を採っている。そして、この構成では、例えば、使用者の視線を上記１台のカメラに正確にガイドする為に、そのカメラ付近に視線ガイド用発光素子を具えた構成となっている。
【０００４】
ところで、近年では、それとは別に、例えば、撮影範囲内を撮影して印刷装置で使用者の写真印刷用に用いる高解像度の画像を撮影する印刷用カメラと、上記撮影範囲内を撮影して上記使用者の撮影画像の確認用として表示装置で表示用に用いる低解像度の画像を撮影する表示用カメラとの２つのカメラを具える自動写真撮影装置が提供されつつある。
【０００５】
ところが、このように２つのカメラを具える自動写真撮影装置においては、上述のように、１つのカメラで撮影する自動写真撮影装置における視線ガイド方法を単に適用しただけでは、使用者の視線を正確にガイドすることができない。
【特許文献１】特願２００２−２０７０３１号。
【発明の開示】
【発明が解決しようとする課題】
【０００６】
上述の如く、２つのカメラ（撮影手段）を用いて撮影を行う自動写真撮影装置にあっては、従来ののように、１つのカメラで撮影する自動写真撮影装置における視線ガイド方法を単に適用しただけでは、使用者の視線を正確にガイドすることができないという不都合がある。
【０００７】
そこで、本発明は上記実状に鑑み、２つのカメラを用いた場合でも使用者の視線を精度良くガイドすることが可能な自動写真撮影装置を提供することを目的とする。
【課題を解決するための手段】
【０００８】
上述した目的を達成するため、請求項１の発明は、所定の撮影範囲内の該使用者を含む画像を高解像度で撮影する第１のカメラと、前記第１のカメラの撮影範囲を含む画像を低解像度で撮影する第２のカメラとを有し、前記第１のカメラの出力に基づき印刷画像を形成し、前記第２のカメラの出力に基づきモニタ画像を表示する自動写真撮影装置において、前記第１のカメラ及び前記第２のカメラを共通の撮影範囲を撮影可能な位置に設置すると共に、前記第１のカメラ及び前記第２のカメラの配置位置に関連して前記使用者の視線をガイドする視線ガイド用発光素子を設置することを特徴とする。
【０００９】
また、請求項２の発明は、請求項１の発明において、前記第１のカメラに導かれる入射光軸と前記第２のカメラに導かれる入射光軸とが前記使用者の顔面付近で交差するように、前記第１のカメラと前記第２のカメラとをそれぞれ所定角度傾けて設置することを特徴とする。
【００１０】
また、請求項３の発明は、所定の撮影範囲内の該使用者を含む画像を高解像度で撮影する第１のカメラと、前記第１のカメラの撮影範囲を含む画像を低解像度で撮影する第２のカメラとを有し、前記第１のカメラの出力に基づき印刷画像を形成し、前記第２のカメラの出力に基づきモニタ画像を表示する自動写真撮影装置において、前記使用者側から入射される光を透過して前記第１のカメラ或いは前記第２のカメラのいずれか一方に導くと共に、他のカメラに前記使用者側から入射される光を反射して導くハーフミラーを具えると共に、前記第１のカメラに入射する光の入射光軸と、前記第２のカメラに入射する光の入射光軸とが重なるように前記第１のカメラと前記第２のカメラとを設置することを特徴とする。
【００１１】
また、請求項４の発明は、所定の撮影範囲内の該使用者を含む画像を高解像度で撮影する第１のカメラと、前記第１のカメラの撮影範囲を含む画像を低解像度で撮影する第２のカメラとを有し、前記第１のカメラの出力に基づき印刷画像を形成し、前記第２のカメラの出力に基づきモニタ画像を表示する自動写真撮影装置において、前記使用者側から入射される光を全反射する全反射ミラーと、前記全反射ミラーで全反射された光を透過して前記第１のカメラに導くと共に、前記全反射された光を反射して前記第２のカメラに導くハーフミラーとを具え、前記第１のカメラに入射する光の入射光軸と、前記第２のカメラに入射する光の入射光軸とが重なるように前記第１のカメラと前記第２のカメラとを設置することを特徴とする。
【００１２】
また、請求項５の発明は、請求項３または４の発明において、前記第１のカメラのレンズ及び前記第２のカメラのレンズに前記使用者の視線をガイドする視線ガイド用発光素子を更に設置することを特徴とする。
【発明の効果】
【００１３】
本発明によれば、２つのカメラを用いた場合でも使用者の視線を精度良くガイドすることができる。
【発明を実施するための最良の形態】
【００１４】
以下、この発明に係わる実施の形態を添付図面を参照して詳細に説明する。
【００１５】
図１は、本発明を適用した自動写真撮影装置１００の概略外観の一構成例を示す図である。そして、図１（ａ）が、使用者が撮影空間部屋に入ることが可能な正面側から見た場合の自動写真撮影装置１００の一概略外観構成を示し、図１（ｂ）が、撮影空間部屋の使用者が腰掛ける椅子が設置されている側から見た場合の自動写真撮影装置１００の一概略外観構成を示している。
【００１６】
図１（ａ）において、この自動写真撮影装置１００は、概略的に大きく分けると、撮影機構室外部筐体１と、撮影空間部屋２と、屋根部３とから構成される。
【００１７】
撮影機構室外部筐体１の外側には、写真取出し口１−１が設置される。ここで、写真取出し口１−１は、カメラにて撮影した画像を印刷装置でプリントした写真を装置外部に排出して使用者に取らせる為の取出し口である。
【００１８】
撮影空間部屋２には、カーテン２−１と、椅子２−２とが設置される。ここで、カーテン２−１は、撮影空間部屋の様子を外から見えない様に遮ったり、撮影空間部屋の外からの光を遮る。また、椅子２−２は、被写体となる使用者が腰掛ける為のものであり、例えば、シリンダー式昇降機構を具え、ユーザが任意に椅子の高さを調整することが可能である。
【００１９】
屋根部３には、蛍光灯ベースの照明等が設置され、例えば、この自動写真撮影機のタイトル名等を表示する表示部が具わる。
【００２０】
また、図１（ｂ）において、この自動写真撮影装置１００の使用者の操作側には、操作部１３と、照明部１７と、ハーフミラー１８と、紙幣投入／返却口１９と、硬貨投入口２０と、釣り銭／投入硬貨返却口２１とが設置される。尚、この場合、ハーフミラー１８越しに撮影画像確認用表示部１２が見える様子を示している。
【００２１】
ここで、操作部１３は、例えば、パスポート用や、履歴書用といった写真種別を選択する場合或いは撮影開始、撮り直しをする場合に用いられる［選択／撮影］ボタン１３−１や、選択した写真種別に決定する場合や、印刷を行う場合に用いられる［決定／プリント］１３−２等を備えユーザ操作のインタフェースを採る。
【００２２】
照明部１７は、被写体（使用者）に写真撮影に適した光を照らすものであり、例えば、ＨＩＤ（HIGH INTENSITY DISCHARGE）ランプを採用する。
【００２３】
ハーフミラー１８は、反射皮膜が形成され、被写体（使用者）とカメラとの間で反射光を被写体に返すと共に、透過光をカメラに導く為のミラーであり、使用者は、反射光から自己の像を把握することができる。即ち、使用者は、このハーフミラーに映った像によりリアルタイムで自分の表情や姿勢をチェックすることができる。
【００２４】
紙幣投入／返却口１９は、使用者の紙幣を投入する口であると共に、投入紙幣を返却する口でもある。
【００２５】
硬貨投入口２０は、使用者の硬貨を投入する口である。
【００２６】
釣り銭／投入硬貨返却口２１は、使用者が投入した貨幣の釣り銭を払い出す口であると共に、硬貨投入口２０から投入された硬貨の返却をする口でもある。
【００２７】
図２は、図１に示した自動写真撮影装置１００の撮影機構室外部筐体１の内部構成を示す図である。
【００２８】
図２において、撮影機構室外部筐体１の内部には、大きく分けると、制御装置１０と、印刷用カメラ（Ａ）１１ａと、表示用カメラ（Ｂ）１１ｂと、表示部１２と、操作部１３と、印刷装置１４と、現金処理部１５と、電源部１６とを具えて構成される。
【００２９】
制御装置１０は、この自動写真撮影装置１００全体を統括的に制御する装置である。具体的には、印刷用カメラ（Ａ）１１ａや、表示用カメラ（Ｂ）１１ｂや、表示部１２や、操作部１３や、印刷装置１４や、現金処理部１５等と電気的に接続し、それらの各種処理動作を制御する。特に、本実施例では、印刷用カメラ（Ａ）１１ａ及び表示用カメラ（Ｂ）１１ｂの２台のカメラにおける撮影に係わる一連の処理を制御する。
【００３０】
印刷用カメラ（Ａ）１１ａは、撮影範囲内の使用者を含む画像を高解像度で撮影する撮影装置である。そして、このカメラ（Ａ）１１ａで撮影された高解像度画像を印刷装置１４で印刷する場合に用いる。尚、写真印刷用として高画質を望むので高解像度で撮影できるように受光素子を数多く具えたＣＣＤ（Charge Coupled Device：電荷結合素子）を搭載したディジタルカメラやビデオカメラを採用する。
【００３１】
表示用カメラ（Ｂ）１１ｂは、撮影範囲内の使用者を含む画像を低解像度で撮影する撮影装置である。そして、このカメラ（Ｂ）１１ｂで撮影された低解像度画像を撮影画像確認用表示部１２で表示する場合に用いる。尚、確認さえできれば良いので画質は問わず低解像度で撮影できる受光素子が少ないＣＣＤを搭載したディジタルカメラやビデオカメラを採用する。
【００３２】
撮影画像確認用表示部１２は、使用者が印刷してもよい撮影画像かどうかを判断する場合に用いられる撮影画像を表示する。特に、この実施例では、表示用カメラ（Ｂ）１１ｂにて撮影した撮影画像を表示する。そして、その表示される撮影画像は、印刷用カメラ（Ａ）１１ａにて撮影して印刷用に利用すべく形成される撮影画像が撮影された時間と一致した時間或いは略一致した時間にて表示用カメラ（Ｂ）１１ｂで撮影した画像である。尚、この表示部を実現する手段としては、低コスト化を考慮して安価なビデオモニター或いはＴＶを採用する。
【００３３】
操作部１３は、例えば、パスポート用や、履歴書用といった写真種別を選択する場合或いは撮影開始、撮り直しをする場合に用いられる［選択／撮影］ボタン１３−１や、選択した写真種別に決定する場合や、印刷を行う場合に用いられる［決定／プリント］１３−２等を備えユーザ操作のインタフェースを採る。
【００３４】
印刷装置１４は、用紙やインク等を有し、上述の印刷用カメラ（Ａ）１１ａにて撮影した撮影画像を高画質にてプリント出力するプリンタであり、白黒（モノクロ）又はカラーにて出力する事が可能であり、例えば、昇華型熱転写式を採用している。また、この印刷装置１４は、印刷した用紙の表面をラミネート加工して出力する機能を具える。尚、このラミネート加工により、完全防水、汚れに強い、破れない等の耐久性を写真に持たすことができると共に、偽造防止の機能も有する。
【００３５】
現金処理部１５は、紙幣投入／返却口１９或いは硬貨投入口２０を介して投入された貨幣の有価価値を識別して識別結果を制御装置１０に通知する。また、この場合、この現金処理部１５は、特に図示していないが投入された貨幣を保管する金庫を搭載している。
【００３６】
電源部１６は、この自動写真撮影装置１００において電源供給により動作する各構成要素部に電源を供給するものであり、差込プラグ１６−１を介して外部から商用電源を取り込んで各構成要素毎に所定の電圧にして内部に供給する。
【００３７】
図３は、図２に示した制御装置１０の詳細な構成を示す機能ブロック図である。
【００３８】
図３において、この制御装置１０は、カメラ制御部１０１と、表示処理制御部１０２と、操作処理制御部１０３と、画像処理制御部１０４と、プリンタ処理制御部１０５と、課金処理制御部１０６とを具えて構成される。
【００３９】
ここで、主制御部１００は、この制御装置１０全体を統括的に制御する。具体的には、カメラ制御部１０１と、表示処理制御部１０２と、操作処理制御部１０３と、画像処理制御部１０４と、プリンタ処理制御部１０５と、課金処理制御部１０６等とを電気的に接続し、それらを統括的に制御する。
【００４０】
カメラ制御部１０１は、印刷用カメラ（Ａ）１１ａ及び表示用カメラ（Ｂ）１１ｂの撮影に係わる各種制御を行う。特に、本実施例では、後述の図７、図１０、図１３、図１６で述べるようなカメラ制御を行う。
【００４１】
表示処理制御部１０２は、上記カメラ制御部１０１の撮影開始指令信号に基づき表示用カメラ（Ｂ）１１ｂが撮影して同表示用カメラ（Ｂ）１１ｂ内に内装されているメモリＢ１１ｂに蓄積された撮影画像を受け取って撮影画像確認用表示部１２に表示制御する。
【００４２】
操作処理制御部１０３は、操作部１３に具わる［選択／撮影］ボタン１３−１や［決定／プリント］１３−２等の押下信号を入力処理する。
【００４３】
画像処理制御部１０４は、印刷用カメラ（Ａ）１１ａから入力される画像の処理を行う。特に、本実施例では、メモリ（Ａ）１０４−１を具え、印刷用カメラ（Ａ）１１ａで撮影した高解像度画像を印刷装置１４で印刷用に用いる画像データとして上記メモリ（Ａ）１０４−１に格納処理する。
【００４４】
プリンタ処理制御部１０５は、印刷装置１４とのインタフェースを取り、上記画像処理制御部１０４のメモリ（Ａ）１０４−１に格納された画像データを用いて印刷装置１４に撮影画像の印刷を指示する。尚、このプリンタ処理制御部１０５では、予め設定されている情報に基づいて、この自動写真撮影装置１００で撮られた写真が違法な修正や改竄をしていない無修正写真であることを保証する証明書（例えば、正規証明写真であることを証する文字情報等）データを生成し、その証明書データとメモリ１０４−１に蓄積された撮影画像とを合成して印刷データを生成して出力する。
【００４５】
課金処理制御部１０６は、現金処理部１５の処理を制御し、投入された貨幣の確認或いは釣り銭等の課金計算処理を制御する。
【００４６】
次に、上述してきたような自動写真撮影装置１００において撮影から印刷までの一連の処理の流れを図４に示すフローチャートを用いて説明する。
【００４７】
図４において、まず、使用者等によって紙幣投入／返却口１９或いは硬貨投入口２０を介して所定金額以上の貨幣が投入されたことを現金処理部１５経由で課金処理制御部１０６が検知すると（ステップＳ１）、この撮影印刷処理が開始される。
【００４８】
すると、自動写真撮影装置１００では、アナウンス手段等を用いて使用者に対し利用操作手順等の説明が行われる（ステップＳ２）。例えば、音声にて通知したり、図５に示すように、表示部１２に利用操作手順等の説明を表示して通知する。
【００４９】
その後、使用者が、例えば図５に示す画面上に表示される「パスポート用」選択項目１２−１或いは「履歴書用」選択項目１２−２を［選択／撮影］ボタン１３−１或いは［決定／プリント］ボタン１３−２を用いて選択決定し、その選択決定操作に基づき写真種別の選択指示が入力される（ステップＳ３）。
【００５０】
次いで、自動写真撮影装置１００では、使用者により［選択／撮影］ボタン１３−１が押下されるのを待機する（ステップＳ４）。
【００５１】
ここで、［選択／撮影］ボタン１３−１が押下されたことを検知すると（ステップＳ１０４ＹＥＳ）、主制御部１００の制御のもと、印刷用カメラ（Ａ）１１ａ及び表示用カメラ（Ｂ）１１ｂの撮影制御が行われると共に、画像処理制御部１０４で印刷用カメラ（Ａ）１１ａで撮影された画像の画像処理が行われると共に、表示処理制御部１０２で表示用カメラ（Ｂ）１１ｂで撮影した画像の表示処理が行われる（ステップＳ５）。
【００５２】
その後、自動写真撮影装置１００では、使用者により［決定／プリント］ボタン１３−２或いは［選択／撮影］ボタン１３−１のいずれかのボタンが押下されるのを待機する（ステップＳ６及びステップＳ７）。
【００５３】
ここで、［決定／プリント］ボタン１３−２が押下されたこと、即ち、写真印刷確定指示を検知すると（ステップＳ１０６ＹＥＳ）、印刷用カメラ（Ａ）１１ａで撮影してメモリ（Ａ）１０４−１に蓄積した撮影画像に基づき写真の印刷処理が行われる（ステップＳ８）。
【００５４】
その後、印刷した写真を使用者が受け取れるように、写真取り出し口１−１に排出して（ステップＳ９）、撮影印刷処理を終了する。
【００５５】
また、他方、上述のステップＳ６及びステップＳ７の監視の結果、使用者により［決定／プリント］ボタン１３−２が押下されず（ステップＳ６ＮＯ）、［選択／撮影］ボタン１３−１が押下されれば（ステップＳ７ＹＥＳ）、上述のステップＳ１０５に遷移して以下同様の処理を行う。即ち、このルートが撮り直し処理となる。
【００５６】
次に、上述の図４に示した処理手順の処理ステップＳ１０５における印刷用カメラ（Ａ）及び表示用カメラ（Ｂ）の撮影制御処理と、印刷用カメラ（Ａ）で撮影した画像の画像処理と、表示用カメラ（Ｂ）で撮影した画像の表示処理の詳細について以下の［１］〜［４］の実施例にて説明する。
【００５７】
まず、［１］：上記図２及び図３に示した印刷用カメラ（Ａ）１１ａと表示用カメラ（Ｂ）１１ｂの両方共にＤＳＣ（ディジタルスチールカメラ）を採用した場合について図６乃至図８を用いて説明する。尚、この場合、説明の都合上、上述の図４に示す処理ステップＳ６以降の処理部分についても示している。
【００５８】
図６乃至図７において、まず、使用者により［選択／撮影］ボタン１３−１が押下されると（Ｓ１０１）、主制御部１００の制御のもと、上述のカメラ制御部１０１がリアルタイムで印刷用カメラ（Ａ）１１ａに対し撮影開始指令が出されると共に（Ｓ１０２）、遅延回路等を用いて［選択／撮影］ボタン１３−１が押下されてから所定時間後［印刷用カメラ（Ａ）１１ａが撮影指示を受けてから実際にカメラ（Ａ）の受光素子に光の照射を開始するまでの準備動作（１／Ｘ秒）経過後］に表示用カメラ（Ｂ）１１ｂに対し撮影開始指令が出される（Ｓ１１１）。これにより、使用者の撮影開始操作に伴いメモリ（Ａ）１０４−１に格納され印刷用に用いられる画像と、メモリ（Ｂ）１１−１に格納され表示用に用いられる画像とが一致した時間或いは略一致した時間で撮影されたものとなる。
【００５９】
即ち、ここで表示用カメラ（Ｂ）１１ｂの撮影タイミングを遅延させている理由は、図８に示すように、印刷用カメラ（Ａ）１１ａの方が表示用カメラ（Ｂ）１１ｂよりＣＣＤの受光素子数が桁違いに多いことで、表示用カメラ（Ｂ）１１ｂの方がＣＣＤの残存する余計な電荷を一掃する等の処理を行って受光素子に光を照射するまでの準備動作を瞬時（t3−t2'）に完了するのに対し、印刷用カメラ（Ａ）１１ａの方はそのような準備動作を完了するまでに大幅に時間［t3−t2（t3−t2＞t3−t2')］が掛かかってしまうという事を考慮し、その時間差を吸収して使用者の撮影開始操作に伴い印刷用に用いられる画像と表示用に用いられる画像とが一致した時間或いは略一致した時間で撮影されたものとする為である。
【００６０】
別の言い方をすると、使用者の撮影開始操作に基づき印刷用カメラ（Ａ）１１ａに対し撮影開始指示を出しその印刷用カメラ（Ａ）１１ａが撮影して写真用としてメモリ（Ａ）１０４−１に格納される高解像度画像と、使用者の撮影開始操作に基づき表示用カメラ（Ｂ）１１ｂに対しその表示用カメラ（Ｂ）１１ｂが撮影して表示用としてメモリ（Ｂ）１１−１に格納される低解像度画像とが一致した時間或いは略一致した時間で撮影した時の撮影画像（同じ時間で撮影した２つの画像若しくは許容される範囲内の時間差で撮影した２つの画像）となるようにする為である。
【００６１】
そして、上記Ｓ１０２の処理において、印刷用カメラ（Ａ）１１ａに撮影指令が出されると、印刷用カメラ（Ａ）１１ａにおいて撮影動作が開始される（Ｓ１０３）。すると、印刷用カメラ（Ａ）１１ａにおいて、ＣＣＤの受光素子に照射された光が電荷に変換されたアナログ映像信号（電気信号）をＡ／Ｄコンバータによりディジタル映像信号に変換処理し、その変換後のディジタル映像信号をキャプチャー処理回路を介してＪＰＥＧ等の静止画像を生成処理が行われる。そして、この印刷用カメラ（Ａ）１１ａからＵＳＢ等を介して画像処理制御部１０４に上記生成された静止画像（ディジタル映像信号）が転送され、画像処理制御部１０４において、上記転送されてきた画像のメモリ（Ａ）１０４−１への格納処理が行われる（Ｓ１０４）。
【００６２】
また、上記Ｓ１０３及びＳ１０４の転送処理及び格納処理に並行するように、上記Ｓ１１１の処理において、表示用カメラ（Ｂ）１１ｂに撮影指令が出されると、表示用カメラ（Ｂ）１１ｂにおいて撮影動作が開始される（Ｓ１１２）。そして、表示用カメラ（Ｂ）１１ｂにおいて、ＣＣＤの受光素子に照射された光が電荷に変換されたアナログ映像信号（電気信号）をＡ／Ｄコンバータによりディジタル映像信号に変換処理し、その変換後のディジタル映像信号をキャプチャー処理回路を介してＪＰＥＧ等の静止画像の生成処理が行われ、その生成された画像のメモリ（Ｂ）１１−１への格納処理が行われる（Ｓ１１３）。また、格納が完了すると、表示処理制御部１０２の制御のもと、メモリ（Ｂ）１１−１に格納された画像が読み出され表示部１２に表示処理される（Ｓ１１４）。
【００６３】
また、本実施例では、印刷用カメラ（Ａ）１１ａ側のＳ１０４の処理において、Ａ／Ｄ変換及び静止画生成処理や、転送処理や、格納処理が行われている最中に、使用者により［選択／撮影］ボタン１３−１の押下による撮り直し操作が行われると（Ｓ１０５ＮＯ→Ｓ１０８ＹＥＳ）、それら一連の画像処理を中断して（Ｓ１０９）、上述のＳ１０１に戻り、再度、撮り直し操作に伴う印刷用カメラ（Ａ）１１ａの撮影処理へと移行する。これにより、撮り直し操作に伴う新たな撮影画像のメモリ（Ａ）１０４−１への上書き処理へと遷移する。
【００６４】
また、他方、表示用カメラ（Ｂ）１１ｂ側のＳ１１４の処理後に、上述のように、使用者により［選択／撮影］ボタン１３−１の押下による撮り直し操作が行われると（Ｓ１１５）、上述のＳ１０１に戻り、再度、撮り直し操作に伴う新たな撮影画像のメモリ（Ｂ）１１−１への上書き処理へと遷移する。
【００６５】
また、他方、本実施例では、印刷用カメラ（Ａ）１１ａ側のＳ１０４の処理を行って、Ａ／Ｄ変換処理→静止画生成処理→転送処理→格納処理の一連の処理が終了した後（Ｓ１０５ＹＥＳ）、使用者による［決定／プリント］ボタン１３−２或いは［選択／撮影］ボタン１３−１のいずれかが押下されるのを待機している（Ｓ１０６及びＳ１１０）。
【００６６】
ここで、使用者により［決定／プリント］ボタン１３−２が押下された場合には（Ｓ１０６ＹＥＳ）、メモリ（Ａ）１０４−１に格納された印刷用カメラ（Ａ）１１ａで撮影した高解像度画像が読み出され、プリンタ処理制御部１０５の制御により印刷装置１４で写真印刷が行われる（Ｓ１０７）。
【００６７】
また、他方、使用者により［選択／撮影］ボタン１３−１が押下されず（Ｓ１０６ＮＯ）、使用者により［決定／プリント］ボタン１３−２が押下された場合には（Ｓ１１０ＹＥＳ）、上述のＳ１０１に戻り、再度、撮り直し操作に伴う新たな撮影画像のメモリ（Ｂ）１１−１への上書き処理へと遷移する。
【００６８】
次に、［２］：上記図２及び図３に示した印刷用カメラ（Ａ）１１ａと表示用カメラ（Ｂ）１１ｂの両方共にビデオカメラを採用した場合について図９乃至図１１を用いて説明する。尚、この場合、説明の都合上、上述の図４に示す処理ステップＳ６以降の処理部分についても示している。
【００６９】
また、以下の説明では、図４の処理Ｓ１で使用者により現金が投入された際に、印刷用カメラ（Ａ）１１ａと表示用カメラ（Ｂ）１１ｂの両方共にビデオ撮影動作を開始するものとして説明する。
【００７０】
図９乃至図１１において、まず、使用者により［選択／撮影］ボタン１３−１が押下されると（Ｓ２０１）、印刷用カメラ（Ａ）１１ａ側の処理においては、主制御部１００の制御のもと、画像処理制御部１０４は、印刷用カメラ（Ａ）１１ａから連続して入力されるアナログ映像信号のうち［選択／撮影］ボタン１３−１が押下された時点から最初に印刷用カメラ（Ａ）１１ａで準備動作して得れる１フィールド分の画像（Ｘ）を撮影画像として確定処理する（Ｓ２０２）。また、表示用カメラ（Ｂ）１１ｂ側の処理においては、主制御部１００の制御のもと、表示用カメラ（Ｂ）１１−１は、印刷用カメラ（Ａ）１１ａで確定された画像（Ｘ）を撮影した時間と、一致した時間若しくは略一致した時間で表示用カメラ（Ｂ）１１ｂで準備動作して得れる画像を表示用画像として確定処理する（Ｓ２１０）。これにより、使用者の撮影開始操作に伴いメモリ（Ａ）１０４−１に格納され印刷用に用いられる画像と、メモリ（Ｂ）１１−１に格納され表示用に用いられる画像とが一致した時間或いは略一致した時間で撮影されたものとなる。
【００７１】
そして、上記Ｓ２０２の確定処理後、印刷用カメラ（Ａ）１１ａ側の処理においては、主制御部１００の制御のもと、印刷用カメラ（Ａ）１１ａから連続して入力されるアナログ映像信号のうち［選択／撮影］ボタン１３−１が押下された時点から最初に印刷用カメラ（Ａ）１１ａで準備動作して得れるアナログ映像信号（Ｘ）をＡ／Ｄコンバータによりディジタル映像信号に変換し、その変換後のディジタル映像信号からキャプチャー処理回路によりＪＰＥＧ等の静止画像を生成し、その生成した静止画像をメモリ（Ａ）１０４−１に格納処理するという一連の画像処理動作へと移行する（Ｓ２０３）。
【００７２】
また、上記Ｓ２０３の処理に並行するように、上記Ｓ２１０の確定処理後、表示用カメラ（Ｂ）１１ｂ側の処理においては、主制御部１００の制御のもと、表示用カメラ（Ｂ）１１−１は、印刷用カメラ（Ａ）１１ａで確定された画像（Ｘ）を撮影した時間と一致した時間若しくは略一致した時間で表示用カメラ（Ｂ）１１ｂで準備動作して得れる画像をアナログ映像信号（Ｙ）をメモリ（Ｂ）１１−１に格納処理する（Ｓ２１１）。また、格納が完了すると、表示処理制御部１０２の制御のもと、メモリ（Ｂ）１１−１に格納された画像が読み出され表示部１２に表示処理される（Ｓ２１２）。
【００７３】
また、本実施例では、印刷用カメラ（Ａ）１１ａ側のＳ２０３の処理において、Ａ／Ｄ変換及び静止画生成処理、格納処理が行われている最中に、使用者により［選択／撮影］ボタン１３−１の押下による撮り直し操作が行われると（Ｓ２０４ＮＯ→Ｓ２０７ＹＥＳ）、それら一連の画像処理を中断して（Ｓ２０８）、上述のＳ２０１に戻り、再度、撮り直し操作に伴う新たな撮影画像のメモリ（Ａ）１０４−１への上書き処理へと遷移する。
【００７４】
また、他方、表示用カメラ（Ｂ）１１ｂ側のＳ２１２の処理後に、上述のように、使用者により使用者により［選択／撮影］ボタン１３−１の押下による撮り直し操作が行われると（Ｓ２１３ＹＥＳ）、上述のＳ２０１に戻り、再度、撮り直し操作に伴う新たな撮影画像のメモリ（Ｂ）１１−１への上書き処理へと遷移する。
【００７５】
また、他方、本実施例では、印刷用カメラ（Ａ）１１ａ側のＳ２０３の処理を行って、Ａ／Ｄ変換処理→静止画生成処理→格納処理の一連の処理が終了した後（Ｓ２０４ＹＥＳ）、使用者による［決定／プリント］ボタン１３−２或いは［選択／撮影］ボタン１３−１のいずれかが押下されるかを待機している（Ｓ２０５及びＳ２０９）。
【００７６】
ここで、使用者により［決定／プリント］ボタン１３−２が押下された場合には（Ｓ２０５ＹＥＳ）、メモリ（Ａ）１０４−１に格納された印刷用カメラ（Ａ）１１ａで撮影した高解像度画像が読み出され、プリンタ処理制御部１０５の制御により印刷装置１４で写真印刷が行われる（Ｓ２０６）。
【００７７】
また、他方、使用者により［選択／撮影］ボタン１３−１が押下されず（Ｓ２０５ＮＯ）、使用者により［決定／プリント］ボタン１３−２が押下された場合には（Ｓ２０９ＹＥＳ）、上述のＳ２０１に戻り、再度、撮り直し操作に伴う新たな撮影画像のメモリ（Ｂ）１１−１への上書き処理へと遷移する。
【００７８】
尚、上記Ｓ２０２に示した確定処理方法以外として、例えば、使用者の撮影操作を検知した場合、予め設定されている所定時間後に、画像処理制御部１０４に入力される最初の１フィールド分の画像（Ｘ）を撮影画像として確定し、Ｓ２１０において、表示用カメラ（Ｂ）１１−１は、印刷用カメラ（Ａ）１１ａで確定された画像（Ｘ）を撮影した時間と、一致した時間若しくは略一致した時間で表示用カメラ（Ｂ）１１ｂで準備動作して得れる画像を表示用画像として確定する場合も考えられる。
【００７９】
次に、［３］：上記図２及び図３に示した印刷用カメラ（Ａ）１１ａとしてＤＳＣ（ディジタルスチールカメラ）を採用し、表示用カメラ（Ｂ）１１ｂとしてビデオカメラを採用した場合について図１２乃至図１４を用いて説明する。尚、この場合、説明の都合上、上述の図４に示す処理ステップＳ６以降の処理部分についても示している。
【００８０】
また、以下の説明では、図４の処理Ｓ１で使用者により現金が投入された際に、表示用カメラ（Ｂ）１１ｂのビデオ撮影動作を開始するものとして説明する。
【００８１】
図１２乃至図１４において、まず、使用者により［選択／撮影］ボタン１３−１が押下されると（Ｓ３０１）、印刷用カメラ（Ａ）１１ａ側の処理においては、主制御部１００の制御のもと、上述のカメラ制御部１０１がリアルタイムで印刷用カメラ（Ａ）１１ａに対し撮影開始指令が出される（Ｓ３０２）。すると、印刷用カメラ（Ａ）１１ａにおいて受光素子に光を照射するまでの準備動作を行ってから、実際に受光素子に光の照射開始して撮影が行われる（Ｓ３０３）。
【００８２】
尚、この時撮影される画像を（Ｘ）とすると、表示用カメラ（Ｂ）１１ｂ側の処理においては、主制御部１００の制御のもと、表示用カメラ（Ｂ）１１−１は、印刷用カメラ（Ａ）１１ａで画像（Ｘ）が撮影される時間と、一致した時間若しくは略一致した時間で表示用カメラ（Ｂ）１１ｂで準備動作して得れる画像を表示用画像として確定処理する（Ｓ３１２）。例えば、表示用カメラ（Ｂ）１１−１は、主制御部１００の制御のもと、印刷用カメラ（Ａ）１１ａが準備動作完了したタイミングにて連続してＣＣＤから出力されるアナログ映像信号のうち最初に表示用カメラ（Ｂ）１１ｂで準備動作して得れる１フィールド分の画像を撮影画像として確定する。これにより、使用者の撮影開始操作に伴いメモリ（Ａ）１０４−１に格納され印刷用に用いられる画像と、メモリ（Ｂ）１１−１に格納され表示用に用いられる画像とが一致した時間或いは略一致した時間で撮影されたものとなる。
【００８３】
そして、上記Ｓ３０２の処理で印刷用カメラ（Ａ）１１ａにおいて、ＣＣＤの受光素子に照射された光が電荷に変換されたアナログ映像信号（電気信号）をＡ／Ｄコンバータによりディジタル映像信号に変換処理し、その変換後のディジタル映像信号をキャプチャー処理回路を介してＪＰＥＧ等の静止画像の生成処理が行われる。そして、この印刷用カメラ（Ａ）１１ａからＵＳＢ等を介して画像処理制御部１０４に上記生成された静止画像（ディジタル映像信号）が転送され、画像処理制御部１０４において、上記転送されてきた画像のメモリ（Ａ）１０４−１への格納処理が行われる（Ｓ３０４）。
【００８４】
また、上記Ｓ３０４の処理に並行するように、上記Ｓ３１２の確定処理により、表示用カメラ（Ｂ）１１ｂにおいて印刷用カメラ（Ａ）１１ａで画像（Ｘ）が撮影される時間と、一致した時間若しくは略一致した時間で表示用カメラ（Ｂ）１１ｂで準備動作して得れるアナログ映像信号を表示用画像としてメモリ（Ｂ）１１−１に格納処理される（Ｓ３１３）。また、格納が完了すると、表示処理制御部１０２の制御のもと、メモリ（Ｂ）１１−１に格納された画像が読み出され表示部１２に表示処理される（Ｓ３１４）。
【００８５】
また、本実施例では、印刷用カメラ（Ａ）１１ａ側のＳ３０４の処理において、Ａ／Ｄ変換及び静止画生成処理、転送処理、格納処理が行われている最中に、使用者により［選択／撮影］ボタン１３−１の押下による撮り直し操作が行われると（Ｓ３０５ＮＯ→Ｓ３０８ＹＥＳ）、それら一連の画像処理を中断して（Ｓ３０９）、上述のＳ３０１に戻り、再度、撮り直し操作に伴う印刷用カメラ（Ａ）１１ａの撮影処理へと移行する。これにより、撮り直し操作に伴う新たな撮影画像のメモリ（Ａ）１０４−１への上書き処理へと遷移する。
【００８６】
また、他方、表示用カメラ（Ｂ）１１ｂ側のＳ３１４の処理後に、上述のように、使用者により使用者により［選択／撮影］ボタン１３−１の押下による撮り直し操作が行われると（Ｓ３１５）、上述のＳ３０１に戻り、再度、撮り直し操作に伴う新たな撮影画像のメモリ（Ｂ）１１−１への上書き処理へと遷移する。
【００８７】
また、他方、本実施例では、印刷用カメラ（Ａ）１１ａ側のＳ３０４の処理を行って、Ａ／Ｄ変換処理→静止画生成処理→転送処理→格納処理の一連の処理が終了した後（Ｓ３０５ＹＥＳ）、使用者による［決定／プリント］ボタン１３−２或いは［選択／撮影］ボタン１３−１のいずれかが押下されるのを待機している（Ｓ３０６及びＳ３１０）。
【００８８】
ここで、使用者により［決定／プリント］ボタン１３−２が押下された場合には（Ｓ３０６ＹＥＳ）、メモリ（Ａ）１０４−１に格納された印刷用カメラ（Ａ）１１ａで撮影した高解像度画像が読み出され、プリンタ処理制御部１０５の制御により印刷装置１４で写真印刷が行われる（Ｓ３０７）。
【００８９】
また、他方、使用者により［選択／撮影］ボタン１３−１が押下されず（Ｓ３０６ＮＯ）、使用者により［決定／プリント］ボタン１３−２が押下された場合には（Ｓ３１０ＹＥＳ）、上述のＳ３０１に戻り、再度、撮り直し操作に伴う新たな撮影画像のメモリ（Ｂ）１１−１への上書き処理へと遷移する。
【００９０】
尚、上記Ｓ３１２に示した確定処理方法以外として、例えば、表示用カメラ（Ｂ）１１−１は、主制御部１００の制御のもと、印刷用カメラ（Ａ）１１ａが準備動作完了後の所定時間経過後に連続してＣＣＤから出力されるアナログ映像信号のうち最初に表示用カメラ（Ｂ）１１ｂで準備動作して得れる１フィールド分の画像を撮影画像として確定する場合も考えられる。
【００９１】
次に、［４］：上記図２及び図３に示した印刷用カメラ（Ａ）１１ａとしてビデオカメラを採用し、表示用カメラ（Ｂ）１１ｂとしてＤＳＣ（ディジタルスチールカメラ）を採用した場合について図１５乃至図１７を用いて説明する。尚、この場合、説明の都合上、上述の図４に示す処理ステップＳ６以降の処理部分についても示している。
【００９２】
また、以下の説明では、図４の処理Ｓ１０１で使用者により現金が投入された際に、印刷用カメラ（Ａ）１１ａのビデオ撮影動作を開始するものとして説明する。
【００９３】
図１５乃至図１７において、まず、使用者により［選択／撮影］ボタン１３−１が押下されると（Ｓ４０１）、印刷用カメラ（Ａ）１１ａ側の処理においては、主制御部１００の制御のもと、画像処理制御部１０４は、印刷用カメラ（Ａ）１１ａから連続して入力されるアナログ映像信号のうち［選択／撮影］ボタン１３−１が押下された時点から最初に印刷用カメラ（Ａ）１１ａで準備動作して得れる画像（Ｘ）を撮影画像として確定処理する（Ｓ４０２）。また、表示用カメラ（Ｂ）１１ｂ側の処理においては、主制御部１００の制御のもと、［選択／撮影］ボタン１３−１が押下されてからすぐ撮影開始指令を出すのではなく、印刷用カメラ（Ａ）１１ａが撮影ボタン押下された時点から最初に準備動作して得れる画像（Ｘ）を撮影した時間と、一致した時間若しくは略一致した時間で表示用カメラ（Ｂ）１１ｂが撮影できるタイミングで表示用カメラ（Ｂ）１１ｂに対し撮影開始指令が出される（Ｓ４１０）。これにより、使用者の撮影開始操作に伴いメモリ（Ａ）１０４−１に格納され印刷用に用いられる画像と、メモリ（Ｂ）１１−１に格納され表示用に用いられる画像とが一致した時間或いは略一致した時間で撮影されたものとなる。
【００９４】
そして、上記Ｓ４０２の確定処理後、印刷用カメラ（Ａ）１１ａ側の処理においては、主制御部１００の制御のもと、印刷用カメラ（Ａ）１１ａから連続して入力されるアナログ映像信号のうち［選択／撮影］ボタン１３−１が押下された時点から最初に印刷用カメラ（Ａ）１１ａで準備動作して得れるアナログ映像信号（Ｘ）をＡ／Ｄコンバータによりディジタル映像信号に変換し、その変換後のディジタル映像信号からキャプチャー処理回路によりＪＰＥＧ等の静止画像を生成し、その生成した静止画像をメモリ（Ａ）１０４−１に格納処理するという一連の画像処理動作へと移行する（Ｓ４０３）。
【００９５】
また、上記Ｓ４０３の処理に並行するように、上記Ｓ４１０の処理において、表示用カメラ（Ｂ）１１ｂに撮影指令が出されると、表示用カメラ（Ｂ）１１ｂにおいて撮影動作が開始される（Ｓ４１１）。そして、表示用カメラ（Ｂ）１１ｂにおいて、ＣＣＤの受光素子に照射された光が電荷に変換されたアナログ映像信号（電気信号）をＡ／Ｄコンバータによりディジタル映像信号に変換処理し、その変換後のディジタル映像信号をキャプチャー処理回路を介してＪＰＥＧ等の静止画像の生成処理が行われ、その生成された画像のメモリ（Ｂ）１１−１への格納処理が行われる（Ｓ４１２）。また、格納が完了すると、表示処理制御部１０２の制御のもと、メモリ（Ｂ）１１−１に格納された画像が読み出され表示部１２に表示処理される（Ｓ４１３）。
【００９６】
また、本実施例では、印刷用カメラ（Ａ）１１ａ側のＳ４０３の処理において、Ａ／Ｄ変換及び静止画生成処理、格納処理が行われている最中に、使用者により［選択／撮影］ボタン１３−１の押下による撮り直し操作が行われると（Ｓ４０４ＮＯ→Ｓ４０７ＹＥＳ）、それら一連の画像処理を中断して（Ｓ４０８）、上述のＳ４０１に戻り、再度、撮り直し操作に伴う新たな撮影画像のメモリ（Ａ）１０４−１への上書き処理へと遷移する。
【００９７】
また、他方、表示用カメラ（Ｂ）１１ｂ側のＳ４１４の処理後に、上述のように、使用者により使用者により［選択／撮影］ボタン１３−１の押下による撮り直し操作が行われると（Ｓ４１３ＹＥＳ）、上述のＳ４０１に戻り、再度、撮り直し操作に伴う新たな撮影画像のメモリ（Ｂ）１１−１への上書き処理へと遷移する。
【００９８】
また、他方、本実施例では、印刷用カメラ（Ａ）１１ａ側のＳ４０３の処理を行って、Ａ／Ｄ変換処理→静止画生成処理→格納処理の一連の処理が終了した後（Ｓ４０４ＹＥＳ）、使用者による［決定／プリント］ボタン１３−２或いは［選択／撮影］ボタン１３−１のいずれかが押下されるかを待機している（Ｓ４０５及びＳ４０９）。
【００９９】
ここで、使用者により［決定／プリント］ボタン１３−２が押下された場合には（Ｓ４０５ＹＥＳ）、メモリ（Ａ）１０４−１に格納された印刷用カメラ（Ａ）１１ａで撮影した高解像度画像が読み出され、プリンタ処理制御部１０５の制御により印刷装置１４で写真印刷が行われる（Ｓ４０６）。
【０１００】
また、他方、使用者により［選択／撮影］ボタン１３−１が押下されず（Ｓ４０５ＮＯ）、使用者により［決定／プリント］ボタン１３−２が押下された場合には（Ｓ４０９ＹＥＳ）、上述のＳ４０１に戻り、再度、撮り直し操作に伴う新たな撮影画像のメモリ（Ｂ）１１−１への上書き処理へと遷移する。
【０１０１】
尚、上記Ｓ４０２に示した確定処理方法以外として、例えば、使用者の撮影操作を検知した場合、予め設定されている所定時間後に、画像処理制御部１０４に入力される最初の１フィールド分の画像（Ｘ’）を撮影画像として確定する。そして、Ｓ４１０の表示用カメラ（Ｂ）１１ｂ側の処理においては、主制御部１００の制御のもと、［選択／撮影］ボタン１３−１が押下されてからすぐ撮影開始指令を出すのではなく、上記所定時間経過後に画像処理制御部１０４に入力される最初の１フィールド分の画像（Ｘ’）を撮影した時間と、一致した時間若しくは略一致した時間で表示用カメラ（Ｂ）１１ｂが撮影できるタイミングで表示用カメラ（Ｂ）１１ｂに対し撮影開始指令を出すようにする。
【０１０２】
ところで、上記図６、図９、図１２、図１５に示す例では、印刷用カメラ（Ａ）１１ａと表示用カメラ（Ｂ）１１ｂの二つのカメラを一つの筐体に纏めたデュアル・ブロックカメラ（ＤＢＣ）の場合を示している。ここで言うデュアル・ブロックカメラ（ＤＢＣ）とは、機能と目的を異なえる二つのカメラを、取り扱いを容易にするため便宜的に一つの筐体に纏めたものであり、必ずしもこのように一纏めにする必要はない。
【０１０３】
また、上記実施例では示していないが、高速確認表示用の表示部１２とは別に、従来と同様に、印刷用カメラ（Ａ）１１ａにて撮影してメモリ（Ａ）１０４−１に格納した画像を最終的に確認する為のディスプレイ等の表示手段を追加しても良い。尚、この表示手段は必須ではない。
【０１０４】
また、上記実施例では、撮り直しは使用者が印刷確定操作をするまでなら何度でもＯＫのように示したが、これ以外に、予め撮り直し制限回数や時間を設定してその回数或いは時間内での撮り直しを許容するように構成しても良いものとする。
【０１０５】
また、上記実施例では、表示用カメラ（Ｂ）１１ｂのメモリ（Ｂ）１１−１を同カメラ（Ｂ）１１ｂ内に実装する場合の構成を示したが、これに限定されず、例えば，画像処理制御部１０４や表示処理制御部１０２に具えるようにしても良い。
【０１０６】
また、更に、上記実施例では、印刷用カメラ（Ａ）１１ａ及び表示用カメラ（Ｂ）１１ｂ毎にそれぞれ撮影した画像を記憶するメモリをそれぞれ個別に具えるように示したが、これに限らず、１つのメモリで格納する領域を別々に区切って実現するようにしても良い。
【０１０７】
また、上記実施例では、撮像素子としてＣＣＤを用いるものを例に示したが、ＣＭＯＳ（Complementary Metal-Oxide Semiconductor：相補型金属酸化膜半導体）を用いるものを適用しても良い。
【０１０８】
また、上記実施例では課金対象のものとして使用者により投入される貨幣を考えているが、これ以外にも、携帯電話機等の通信端末を用いて使用者の口座に預金されている現金からの引落しによる課金や、プリペイドカード等の電子マネー記録媒体から読取った電子マネーによる課金等を行えるものに適用しても良い。
【０１０９】
また、図５の例では、写真種別としては、パスポート（３．５cm×４．５cm）用と履歴書用（３cm×４cm）しか示していないが、これ以外に、資格試験用（５cm×５cm）や、免許証用（２．４cm×３cm）等の写真種別を用意するようにしても良い。
【０１１０】
以上説明してきた構成によると、撮影操作直後、表示部１２に映し出される画像はメモリ（Ａ）１０４−１に将来蓄積されるであろう画像とほぼ等価であり、これを見て使用者は写真印刷する撮影画像であるかどうかの諾否を決め、次の動作（写真印刷確定操作或いは撮り直し操作）を行う参考にできる。仮に再撮影の操作を行ったときは、メモリ（Ａ）１０４−１に蓄積しようとしていた処理を中断し、新しい画像の処理を始めることができる。
【０１１１】
即ち、このような構成によると、印刷用カメラ（Ａ）１１ａで撮影した画像がメモリ（Ａ）１０４−１に格納されるまでには大きなデータを画像処理する都合上相当の時間を要するものの、表示用カメラ（Ｂ）１１ｂで撮影した画像は非常にデータが小さいことにより瞬時に表示部１２に表示することができるので、使用者が撮影画像を確認する際の待ち時間をほとんど無くすことができる。特に、撮り直しをする場合においては、使用者は撮影開始ボタンを連続押下（快速連写作業）することで撮り直した撮影画像の確認を快適に行えるようになる。
【０１１２】
そして、本発明によると、高画質の写真印刷及び確認画像の高速表示の両方を低コストにて実現することができる。具体的には、１台のカメラで撮影した画像を印刷用と表示用に用いる従来の構成に比べ、はるかに低コストにて高画質の写真印刷及び確認画像の高速表示の両方を実現することができる。また、技術レベルの進捗に合わせて装置に採用するデバイスを柔軟にチョイスしながら、より良い高画質の写真印刷及び確認画像の高速表示の両方を低コストにて実現することができる。特に、技術レベルの進捗状況によって、大きなデータを高速に処理するデバイスを用意できないような場合でも、高画質の写真印刷及び確認画像の高速表示が可能な自動写真印刷装置を提供することができる。
【０１１３】
次に、上述のように２台のカメラを用いて撮影する場合のカメラの配置構成について説明する。即ち、２台のカメラを用いることで使用者の視線が片方のカメラに偏ったりすることを防ぎ、１台のカメラを用いた時と同じような使用者の視線が得れる撮影状態を提供可能にする構成について図１８及び図１９を用いて説明する。
【０１１４】
まず、図１８において、図１８（ａ）は、図２に示す構成において、ハーフミラー１８越しに撮影空間部屋２の撮影エリア（使用者が椅子の高さを調整すればその使用者の顔及び肩部分を撮影できるエリア）を撮影できる高さ位置に表示用カメラ（Ｂ）１１ｂを上にし、そのもとに印刷用カメラ（Ａ）１１ａを設置し、それら印刷用カメラ（Ａ）１１ａと表示用カメラ（Ｂ）１１ｂの間に、使用者の視線をガイドする為の光を発する視線ガイド用発光素子（青色ＬＥＤなど）２２を設ける。
【０１１５】
更に、具体的には、使用者から見たハーフミラー１８に映し出される使用者自身の鏡像の見かけ上の距離（即ち、使用者からハーフミラー１８までの距離と、ハーフミラー１８から各カメラまでの距離が同じとなる位置）に印刷用カメラ（Ａ）１１ａ及び表示用カメラ（Ｂ）１１ｂをそれぞれ設置すると共に、各カメラの上下左右の位置が使用者の希望する写真の２本の対角線が交差した位置となるように各カメラを設置する。
【０１１６】
また、上述のように、各カメラの上下左右の位置が使用者の希望する写真の２本の対角線が交差した位置となるように各カメラを設置している都合上、レンズの中心に視線をガイドすると使用者の目線が下向きになってしまうので、これを防いで使用者の目線が正面を見るようにする為に視線ガイド用発光素子（Ｂ）１１ｂを印刷用カメラ（Ａ）１１ａのレンズより上の位置で且つレンズサイズとの関係から使用者の目線が正面を向く位置に設置する。
【０１１７】
これにより、使用者は、撮影時に視線ガイド用発光素子２２が発する光を見ることで２台のカメラを用いて撮影した場合でも両方のカメラで同じような撮影画像を撮ることができる。
【０１１８】
また、図１８（ｂ）は、上記図１８（ａ）と同じように、図２に示す構成において、図２に示すハーフミラー１８越しに撮影空間部屋２の撮影エリアを撮影できる高さ位置にに表示用カメラ（Ｂ）１１ｂを上にし、そのもとに印刷用カメラ（Ａ）１１ａを設置し、それら印刷用カメラ（Ａ）１１ａと表示用カメラ（Ｂ）１１ｂの間に、使用者の視線をガイドする為の光を発する視線ガイド用発光素子２２を設ける。
【０１１９】
そして、この図１８（ｂ）の場合では、印刷用カメラ（Ａ）１１ａと表示用カメラ（Ｂ）１１ｂをそれぞれ視線ガイド用発光素子２２側に所定角度：αだけ傾け、それぞれのカメラのレンズ（Ａ）１１ａ−１及びレンズ（Ｂ）１１ｂ−１越しに使用者側から入射する印刷用カメラ（Ａ）及び表示用カメラ（Ｂ）それぞれの入光軸ａ及び入光軸ｂがちょうど使用者の顔の中心（鼻部分）に交差するように設置する。
【０１２０】
また、この場合も、使用者からハーフミラー１８までの距離と、ハーフミラー１８から各カメラまでの距離が同じとなる位置に印刷用カメラ（Ａ）１１ａ及び表示用カメラ（Ｂ）１１ｂをそれぞれ設置すると共に、各カメラの上下左右の位置が使用者の希望する写真の２本の対角線が交差した位置となるように各カメラを設置する。また、視線ガイド用発光素子（Ｂ）１１ｂを印刷用カメラ（Ａ）１１ａのレンズより上の位置で且つレンズサイズとの関係から使用者の目線が正面を向く位置に設置する。
【０１２１】
これによっても、使用者は、撮影時にその視線ガイド用発光素子２２が発する光を見ることで２台のカメラを用いて撮影した場合でも両方のカメラで同じような撮影画像を撮ることができる。
【０１２２】
尚、上記した視線ガイド用発行素子の設置位置以外に、印刷用カメラ（Ａ）１１ａ及び表示用カメラ（Ｂ）１１ｂの配置位置に関連して使用者の視線を適切にガイドする位置があればその位置に設置するようにしても良い。
【０１２３】
また、図１９は、上記図１８に示した２台のカメラ配置構成より更に良い状態で撮影可能な場合を示し、この場合であれば、１台のカメラで撮影した場合とほとんど同じ状態で撮影できる場合のカメラ配置構成を示す。
【０１２４】
図１９において、この場合、図２に示す構成において、撮影機構室外部筐体１内に、ハーフミラー１８経由で使用者側から入射される光を透過して印刷用カメラ（Ａ）１１ａのレンズに導くと共に、使用者側から入射される光を反射して表示用カメラ（Ｂ）１１ｂのレンズに導くハーフミラー２３を設けると共に、印刷用カメラ（Ａ）及び表示用カメラ（Ｂ）それぞれの入射光軸ａ及び入射光軸ｂが重なるように印刷用カメラ（Ａ）１１ａと表示用カメラ（Ｂ）１１ｂを設置する。
【０１２５】
そして、更に、印刷用カメラ（Ａ）１１ａ付近に使用者の視線をガイドする視線ガイド用発光素子２２を設ける。
【０１２６】
更に、具体的には、使用者からハーフミラー１８までの距離Ｘと、ハーフミラー１８から各カメラまでの距離（Ｙ及びＺ＋Ｗ）が同じとなる位置に印刷用カメラ（Ａ）１１ａ及び表示用カメラ（Ｂ）１１ｂをそれぞれ設置すると共に、各カメラの上下左右の位置が使用者の希望する写真の２本の対角線が交差した位置となるように各カメラを設置する。
【０１２７】
また、上述のように、使用者の目線が正面を見るようにする為に視線ガイド用発光素子（Ｂ）１１ｂを印刷用カメラ（Ａ）１１ａのレンズより上の位置で且つレンズサイズとの関係から使用者の目線が正面を向く位置に設置する。
【０１２８】
これにより、２台のカメラを用いた場合でも、従来の１台のカメラにて撮影した場合とほぼ同様の状態で撮影できる。
【０１２９】
また、その他の方法として、図示していないが、撮影機構室外部筐体１内に、ハーフミラー１８経由で使用者側から入射される光を全反射する全反射ミラーと、この全反射ミラーで全反射された光を透過して印刷用カメラ（Ａ）１１ａに導くと共にその全反射された光を反射してカメラ（Ｂ）１１ｂに導くハーフミラーとを具え、印刷用カメラ（Ａ）１１ａと表示用カメラ（Ｂ）１１ｂそれぞれのレンズ（Ａ）１１ａ−１及びレンズ（Ｂ）１１ｂ−１越しに使用者側から入射する印刷用カメラ（Ａ）及び表示用カメラ（Ｂ）それぞれの入光軸ａ及び入光軸ｂが重なるように印刷用カメラ（Ａ）１１ａと表示用カメラ（Ｂ）１１ｂを設置する。そして、印刷用カメラ（Ａ）１１ａの付近に視線ガイド用発光体素子を設置する。
【０１３０】
尚、上記図１８及び図１９の場合、視線ガイド用発光素子２２と制御装置１０とを電気的に接続し、その視線ガイド用発光素子２２の発光制御を制御装置１０で行うようにする。例えば、使用者の現金投入により撮影可能状態になった場合に点滅するような制御を行う。そして、使用者が撮影ボタンを押下した場合には、その発光素子２２の発光を一時停止制御してから実際に撮影を開始するようにする。これにより、印刷写真に発光素子の光がノイズとなって現れるのを防ぐことができる。また、印刷写真のノイズとしては、表示部１２のモニタ表示も写真に影響を与えるので、撮影ボタンが押下された場合には、一時モニタ表示を停止する。
【０１３１】
次に、印刷用カメラ（Ａ）１１ａと表示用カメラ（Ｂ）１１ｂでそれぞれ画角の違うもの、即ち、画角調節機能を持ったものと画角調節機能を持たない単焦点のものとを使用した場合について図２０を用いて説明する。
【０１３２】
即ち、印刷用カメラ（Ａ）１１ａとして写真種別（例えば、パスポート用や、履歴書用等）に応じて画角を調整する機能を搭載したカメラを用意し、表示用カメラ（Ｂ）１１ｂとして低コストを意識して広い画角［即ち、印刷用カメラ（Ａ）１１ａにおける広い画角と同じ画角］のみ固定されている単焦点ものを用意した場合における表示部１２で表示する画像のサイズ調整処理について説明する。
【０１３３】
図２０において、使用者の写真種別の選択指示が行われると、制御装置１０においてカメラ制御部１０１に選択信号が出される。
【０１３４】
例えば、使用者により狭い画角で撮影する必要のあるパスポート用の写真種別が選択された場合、カメラ制御部１０１及び画像処理制御部１０４にパスポート用選択信号Ｘが入力される。
【０１３５】
すると、カメラ制御部１０１が印刷用カメラ（Ａ）１１ａにおける画角幅をパスポート用、即ち、狭い画角幅に調整制御する。この場合、表示用カメラ（Ｂ）１１ｂは、固定なので表示用カメラ（Ｂ）１１ｂに対しては画角幅の調整制御は行わない。
【０１３６】
その後、印刷用カメラ（Ａ）１１ａで撮影された画像が画像処理制御部１０４に入力されると共に、表示用カメラ（Ｂ）１１ｂで撮影された画像が表示処理制御部１０５に入力される。
【０１３７】
ここで、この場合は、使用者によって指定されている写真種別は表示用カメラ（Ｂ）１１ｂの画角幅で撮影する履歴書用でなく、狭い画角幅で撮影するパスポート用であるので、表示部１２に表示する画像を調整する必要がある。
【０１３８】
即ち、同図２０の（ａ）に示すように、表示処理制御部１０５内の画像処理機能において、表示用カメラ（Ｂ）１１ｂで広い画角幅で撮影した画像からパスポート用に使用する画像部分（Ｗ）だけを切り取り処理を行う。そして、その切り取った画像を表示部１２を用いて表示する。つまり、表示用カメラ（Ｂ）１１ｂで撮影した画像がそのままのサイズで表示されるのでは無く、切り取り処理された画像が表示される［同図２０の（ｂ）参照］。
【０１３９】
また、他方、例えば、使用者により広い画角で撮影する必要のある履歴書用の写真種別が選択された場合、カメラ制御部１０１に履歴書用選択信号Ｙが入力される。
【０１４０】
すると、カメラ制御部１０１が印刷用カメラ（Ａ）１１ａにおける画角幅を履歴書用、即ち広い画角幅に調整制御する。この場合、表示用カメラ（Ｂ）１１ｂは、固定なので表示用カメラ（Ｂ）１１ｂには、画角幅調整制御を行わない。
【０１４１】
その後、印刷用カメラ（Ａ）１１ａで撮影された画像が画像処理制御部１０４に入力されると共に、表示用カメラ（Ｂ）１１ｂで撮影された画像が表示処理制御部１０５に入力される。
【０１４２】
ところで、この場合、使用者によって指定されている写真種別は表示用カメラ（Ｂ）１１ｂの画角幅で撮影する履歴書用であるので、表示部１２に表示する画像を調整しなくても良い。
【０１４３】
従って、同図２０の（ｃ）に示すように、切り取り処理は実行せず、撮影した画像を表示部１２でそのまま表示する［同図２０の（ｄ）参照］。
【０１４４】
また、上記図２０とは別の方法として、表示用カメラ（Ｂ）１１ｂにズームレンズ機能を有するもの用意し、使用者の写真種別の選択に応じてカメラ制御部１０１の制御のもと表示用カメラ（Ｂ）１１ｂのズーム調節を行うようにする。
【０１４５】
尚、この場合、表示カメラ（Ｂ）１１ｂではＣＣＤの受光素子が少ないことによりレンズサイズの小さいものを用意することができ、低コストにて実現することができる。
【図面の簡単な説明】
【０１４６】
【図１】本発明を適用した自動写真撮影装置の概略外観の一構成例を示す図。
【図２】図１に示した自動写真撮影装置の撮影機構室外部筐体の内部構成を示す図。
【図３】図２に示した制御装置の詳細な構成を示す機能ブロック図。
【図４】自動写真撮影装置における撮影印刷処理の処理手順を示すフローチャート。
【図５】表示部に表示されるアナウンス情報の一例を示す図。
【図６】印刷用カメラ（Ａ）と表示用カメラ（Ｂ）の両方共にＤＳＣを採用した場合の構成を示す図。
【図７】印刷用カメラ（Ａ）と表示用カメラ（Ｂ）の両方共にＤＳＣを採用した場合のＳ５の詳細を説明する図。
【図８】印刷用カメラ（Ａ）と表示用カメラ（Ｂ）の両方共にＤＳＣを採用した場合において、使用者の撮影開始操作に伴い印刷用に用いられる画像と表示用に用いられる画像とが一致した時間或いは略一致した時間で撮影されたものとなる様子を示す図。
【図９】印刷用カメラ（Ａ）と表示用カメラ（Ｂ）の両方共にビデオカメラを採用した場合の構成を示す図。
【図１０】印刷用カメラ（Ａ）と表示用カメラ（Ｂ）の両方共にビデオカメラを採用した場合のＳ５の詳細を説明する図。
【図１１】印刷用カメラ（Ａ）と表示用カメラ（Ｂ）の両方共にビデオカメラを採用した場合において、使用者の撮影開始操作に伴い印刷用に用いられる画像と表示用に用いられる画像とが一致した時間或いは略一致した時間で撮影されたものとなる様子を示す図。
【図１２】印刷用カメラ（Ａ）にＤＳＣを採用し、表示用カメラ（Ｂ）にビデオカメラを採用した場合の構成を示す図。
【図１３】印刷用カメラ（Ａ）にＤＳＣを採用し、表示用カメラ（Ｂ）にビデオカメラを採用した場合のＳ５の詳細を示す図。
【図１４】印刷用カメラ（Ａ）にＤＳＣを採用し、表示用カメラ（Ｂ）にビデオカメラを採用した場合において、使用者の撮影開始操作に伴い印刷用に用いられる画像と表示用に用いられる画像とが一致した時間或いは略一致した時間で撮影されたものとなる様子を示す図。
【図１５】印刷用カメラ（Ａ）にビデオカメラを採用し、表示用カメラ（Ｂ）にＤＳＣを採用した場合の構成を示す図。
【図１６】印刷用カメラ（Ａ）にビデオカメラを採用し、表示用カメラ（Ｂ）にＤＳＣを採用した場合のＳ５の詳細を示す図。
【図１７】印刷用カメラ（Ａ）にビデオカメラを採用し、表示用カメラ（Ｂ）にＤＳＣを採用した場合において、使用者の撮影開始操作に伴い印刷用に用いられる画像と表示用に用いられる画像とが一致した時間或いは略一致した時間で撮影されたものとなる様子を示す図。
【図１８】２台のカメラを用いた場合でも１台のカメラを用いた時と同じような使用者の視線が得れる撮影状態を提供可能にする構成を示す図。
【図１９】２台のカメラを用いた場合でも１台のカメラを用いた時と同じような使用者の視線が得れる撮影状態を提供可能にする構成を示す図。
【図２０】ズーム機能を持った印刷用カメラとズーム機能を持たない単焦点の表示用カメラを使用した場合の表示処理を示す図。
【符号の説明】
【０１４７】
１００…自動写真撮影装置、１…撮影機構室外部筐体、２…撮影空間部屋、３…屋根部、１−１…写真取り出し口、２−１…カーテン、２−２…椅子、１２…撮影画像確認用表示部、１３…操作部、１７…照明部、１８…ハーフミラー、１９…紙幣投入／返却口、２０…硬貨投入口、２１…釣り銭／投入硬貨返却口、１３−１…［選択／撮影］ボタン、１３−２…［決定／プリント］ボタン、１０…制御装置、１１ａ…印刷用カメラ（Ａ）、１１ｂ…表示用カメラ（Ｂ）、１４…印刷装置、１５…現金処理部、１６…電源部、１６−１…差込プラグ、１００…主制御部、１０１…カメラ制御部、１０２…表示処理部、１０３…操作処理制御部、１０４…画像処理制御部、１０５…プリンタ処理制御部、１０６…課金処理制御部、１１ｂ…メモリ（Ｂ）、１０４−１…メモリ（Ａ）
【図１】
2005107042.tif 000003
【図２】
2005107042.tif 000004
【図３】
2005107042.tif 000005
【図４】
2005107042.tif 000006
【図５】
2005107042.tif 000007
【図６】
2005107042.tif 000008
【図７】
2005107042.tif 000009
【図８】
2005107042.tif 000010
【図９】
2005107042.tif 000011
【図１０】
2005107042.tif 000012
【図１１】
2005107042.tif 000013
【図１２】
2005107042.tif 000014
【図１３】
2005107042.tif 000015
【図１４】
2005107042.tif 000016
【図１５】
2005107042.tif 000017
【図１６】
2005107042.tif 000018
【図１７】
2005107042.tif 000019
【図１８】
2005107042.tif 000020
【図１９】
2005107042.tif 000021
【図２０】
2005107042.tif 000022